(57)【要約】【課題】浴室外が浸水することを防止できる。【解決手段】本浴室では、例えば点検口蓋３２の浴槽エプロン１８への取付け不良やパッキン４６の劣化などにより、点検口蓋３２の上部と浴槽エプロン１８との間の隙間を通って浴室内２８から点検口蓋３２の裏側へ水が流れた場合でも（矢印Ｗ参照）、当該水は膨出部４８の表面（点検口蓋３２の裏面）を伝って膨出部４８の下端へ流下した後で、水受け部５８の内側に滴下又は流下する。水受け部５８の内側に滴下又は流下した水は、水溜め部５２の内側に溜まり、水溜め部５２の底壁５４に形成された水排出口５６から浴室内２８へ排出される。【選択図】図７
2010240288.tif 000002
【特許請求の範囲】
【請求項１】
浴室内と浴室外とを仕切る縦壁と、
前記縦壁に形成された開口と、
前記縦壁の浴室内側に取り付けられ、裏側が浴室外に露出した状態で前記開口を塞ぐ蓋体と、
前記蓋体と前記縦壁との間の隙間を通って浴室内から前記蓋体の裏側へ流れ前記蓋体の裏側を伝って前記蓋体の下部側へ流下した水を浴室内へ戻す水戻し手段と、
を備えた浴室。
【請求項２】
前記水戻し手段は、前記蓋体の下部側に設けられ、前記流下した水を受ける水受け部と、前記蓋体の下部側に設けられ、前記水受け部が受けた水を浴室内へ排出する水排出口とを備えたことを特徴とする請求項１に記載の浴室。
【請求項３】
前記水戻し手段は、前記蓋体とは別体に形成されて前記縦壁に取り付けられ、前記流下した水を受ける水受け部材と、蓋体の下部側に設けられ、前記水受け部材が受けた水を浴室内へ排出する水排出口とを備えたことを特徴とする請求項１に記載の浴室。
【請求項４】
前記蓋体の下部側には、前記縦壁よりも浴室内側に配置され、前記流下した水が溜まる水溜め部が設けられ、前記水溜め部と浴室内とが前記水排出口を介して連通していることを特徴とする請求項２又は請求項３に記載の浴室。
【請求項５】
前記蓋体の裏側には、前記開口を介して浴室外へ膨出した膨出部が設けられ、膨出部の外周には、前記蓋体の裏側へ流れた水を前記蓋体の下部側へ案内する案内路が設けられていることを特徴とする請求項１〜請求項４の何れか１項に記載の浴室。
【請求項６】
浴室内と浴室外とを仕切る縦壁と、
前記縦壁に形成された開口と、
前記縦壁の浴室内側に取り付けられ、前記開口を塞ぐ蓋体と、
前記蓋体と前記縦壁との間の隙間を通って浴室内から浴室外へ流れた水を浴室内へ戻す水戻し手段と、
を備えた浴室。
【発明の詳細な説明】
【技術分野】
【０００１】
本発明は、浴室に関する。
【背景技術】
【０００２】
従来、ユニットバスでは、浴室内と浴室外とを仕切る縦壁（例えば、浴槽のエプロンなど）に点検口（開口）が形成されている。このような点検口は、縦壁にビス止めされる蓋体（点検口蓋）によって塞がれるようになっている（例えば、特許文献１参照）。このような点検口蓋には、縦壁との間を止水するパッキン等が取り付けられている。これにより、点検口からの漏水によって浴室外が浸水することを防止するようにしている。
【先行技術文献】
【特許文献】
【０００３】
【特許文献１】特開２０００−１２９７４０号公報
【発明の概要】
【発明が解決しようとする課題】
【０００４】
しかしながら、上述の如き構成の場合、点検口蓋に取付け不良が生じたり、パッキンが劣化した場合などには、浴室外に露出した点検口蓋の裏側に水が漏れてしまうため、浴室外が浸水する可能性がある。
【０００５】
本発明は上記事実を考慮し、浴室外が浸水することを防止できる浴室を得ることを目的としている。
【課題を解決するための手段】
【０００６】
請求項１に記載の発明に係る浴室は、浴室内と浴室外とを仕切る縦壁と、前記縦壁に形成された開口と、前記縦壁の浴室内側に取り付けられ、裏側が浴室外に露出した状態で前記開口を塞ぐ蓋体と、前記蓋体と前記縦壁との間の隙間を通って浴室内から前記蓋体の裏側へ流れ前記蓋体の裏側を伝って前記蓋体の下部側へ流下した水を浴室内へ戻す水戻し手段と、を備えたことを特徴としている。
【０００７】
請求項１に記載の浴室では、縦壁に形成された開口が、縦壁の浴室内側に取り付けられた蓋体によって塞がれる。ここで、例えば蓋体の取付け不良などにより、蓋体と縦壁との間の隙間を通って浴室内から蓋体の裏側（浴室外へ露出した側）へ水が流れた場合には、当該水は蓋体の裏側を伝って蓋体の下部側へ流下した後で、水戻し手段によって浴室内へ戻される。これにより、浴室外が浸水することを防止できる。
【０００８】
請求項２に記載の発明に係る浴室は、請求項１に記載の浴室において、前記水戻し手段は、前記蓋体の下部側に設けられ、前記流下した水を受ける水受け部と、前記蓋体の下部側に設けられ、前記水受け部が受けた水を浴室内へ排出する水排出口とを備えたことを特徴としている。
【０００９】
請求項２に記載の浴室では、蓋体の裏側を伝って蓋体の下部側へ流下した水を蓋体の下部側に設けられた水受け部によって受けると共に、水受け部が受けた水を蓋体の下部側に設けられた水排出口から浴室内へ排出する。このように、蓋体の下部側へ流下した水を水受け部によって受けるため、蓋体の下部側へ流下した水が浴室外へ滴下することを防止できる。したがって、浴室外が浸水することを良好に防止できる。しかも、水受け部が蓋体に設けられるため、別部材を追加する場合に比べて部品点数を少なくすることができる。
【００１０】
請求項３に記載の発明に係る浴室は、請求項１に記載の浴室において、前記水戻し手段は、前記蓋体とは別体に形成されて前記縦壁に取り付けられ、前記流下した水を受ける水受け部材と、蓋体の下部側に設けられ、前記水受け部材が受けた水を浴室内へ排出する水排出口とを備えたことを特徴としている。
【００１１】
請求項３に記載の浴室では、蓋体の裏側を伝って蓋体の下部側へ流下した水を縦壁に取り付けられた水受け部材によって受けると共に、水受け部材が受けた水を蓋体の下部側に設けられた水排出口から浴室内へ排出する。このように、蓋体の下部側へ流下した水を水受け部材によって受けるため、蓋体の下部側へ流下した水が浴室外へ滴下することを防止できる。したがって、浴室外が浸水することを良好に防止できる。しかも、水受け部材が蓋体と別体に形成されるため、既存の蓋体を利用することができる。したがって、既存の浴室のメンテナンスに対応することができる。また、浴室の製造コストの低コスト化を図ることができる。
【００１２】
さらに、水受け部材が縦壁に取り付けられるため、例えば開口の横幅よりも十分に横長な水受け部材を開口の下縁側に取り付ける構成にすれば、浴室内から蓋体の裏側へ流れた水が開口の横縁を伝って開口の下縁側へ流下した場合でも、当該水を水受け部材によって受けることができる。これにより、浴室外が浸水することを一層良好に防止できる。
【００１３】
請求項４に記載の発明に係る浴室は、請求項２又は請求項３に記載の浴室において、前記蓋体の下部側には、前記縦壁よりも浴室内側に配置され、前記流下した水が溜まる水溜め部が設けられ、前記水溜め部と浴室内とが前記水排出口を介して連通していることを特徴としている。
【００１４】
請求項４に記載の浴室では、蓋体の下部側に水溜め部が設けられている。この水溜め部は、縦壁よりも浴室内側に配置されており、この水溜め部と浴室内とが水排出口を介して連通している。このため、水排出口からの排水量を上回る量の水が蓋体の下部側へ流下してきた場合でも、水溜め部に水が溜まることで、蓋体の裏側へ水が溢れることを抑制できる。換言すれば、水排出口を小さく形成した場合でも、蓋体の裏側へ水が溢れることを抑制できるため、浴室内の水が水排出口を介して水溜め部側へ逆流することを抑制できる。
【００１５】
請求項５に記載の発明に係る浴室は、請求項１〜請求項４の何れか１項に記載の浴室において、前記蓋体の裏側には、前記開口を介して浴室外へ膨出した膨出部が設けられ、膨出部の外周には、前記蓋体の裏側へ流れた水を前記蓋体の下部側へ案内する案内路が設けられていることを特徴としている。
【００１６】
請求項５に記載の浴室では、蓋体の裏側へ流れた水は、浴室外へ膨出した膨出部の外周に設けられた案内路に案内されて蓋体の下部側へ流下し、水戻し手段によって浴室内へ戻される。このように、蓋体の裏側へ流れた水が案内路によって案内されるため、浴室外への水の滴下を防止する上で好ましくない方向に水が流れることを防止でき、好適である。
【００１７】
請求項６に記載の発明に係る浴室は、浴室内と浴室外とを仕切る縦壁と、前記縦壁に形成された開口と、前記縦壁の浴室内側に取り付けられ、前記開口を塞ぐ蓋体と、前記蓋体と前記縦壁との間の隙間を通って浴室内から浴室外へ流れた水を浴室内へ戻す水戻し手段と、を備えたことを特徴としている。
【００１８】
請求項６に記載の浴室では、縦壁に形成された開口が、縦壁の浴室内側に取り付けられた蓋体によって塞がれる。ここで、例えば蓋体の取付け不良などにより、蓋体と縦壁との間の隙間を通って浴室内から浴室外へ水が流れた場合でも、当該水は水戻し手段によって浴室内へ戻される。これにより、浴室外が浸水することを防止できる。
【発明の効果】
【００１９】
以上説明したように、本発明に係る浴室では、浴室外が浸水することを防止できる。
【図面の簡単な説明】
【００２０】
【図１】本発明の第１実施形態に係るユニットバスの主要部の構成を示す斜視図である。
【図２】図１に示されるユニットバスの主要部の構成を示す側面図である。
【図３】図１に示されるユニットバスの一部を拡大した分解斜視図である。
【図４】本発明の第１実施形態に係るユニットバスの部分的な構成を示す縦断面図である。
【図５】本発明の第１実施形態に係るユニットバスの構成部材である点検口蓋を表側から見た斜視図である。
【図６】本発明の第１実施形態に係るユニットバスの構成部材である点検口蓋を裏側から見た斜視図である。
【図７】本発明の第１実施形態に係るユニットバスの部分的な構成を示す概略的な縦断面図であり、点検口蓋の裏側での水の流れ方を説明するための概念的な図である。
【図８】本発明の第２実施形態に係るユニットバスの部分的な構成を示す縦断面図である。
【図９】本発明の第２実施形態に係るユニットバスの構成部材である点検口蓋を裏側から見た斜視図である。
【図１０】本発明の第３実施形態に係るユニットバスの部分的な構成を示す縦断面図である。
【図１１】本発明の第３実施形態に係るユニットバスの浴槽エプロンを浴室外側から見た斜視図である。
【図１２】本発明の第３実施形態に係るユニットバスの構成部材である点検口蓋が点検口から取り外された状態を示す図１１に対応する斜視図である。
【図１３】本発明の第３実施形態に係るユニットバスの部分的な構成を示す概略的な縦断面図であり、点検口蓋の裏側での水の流れ方を説明するための概念的な図である。
【図１４】本発明の第３実施形態の変形例を示す縦断面図である。
【図１５】本発明の第３実施形態に係る点検口蓋の変形例を示す背面図である。
【図１６】本発明の第４実施形態に係るユニットバスの部分的な構成を示す縦断面図である。
【発明を実施するための形態】
【００２１】
＜第１の実施形態＞
以下、図１〜図７を参照して、本発明の第１の実施形態に係る浴室としてのユニットバス１２について説明する。図１には、このユニットバス１２が概略的な斜視図にて示されている。また、図２には、このユニットバス１２が概略的な側面図にて示されている。なお、図１及び図２では説明の都合上、ユニットバス１２の側壁の一部の図示を省略してある。
【００２２】
このユニットバス１２では、一方に浴槽１４、他方に洗い場１６が設けられており、浴槽１４と洗い場１６との境には浴槽エプロン１８（縦壁）が形成されている。また、図２に示されるように、浴槽１４と洗い場１６の下側には、架台２０が設けられており、ユニットバス１２はこの架台２０を介して建物の床面２２に設置されている。
【００２３】
図３に示されるように、浴槽エプロン１８の幅方向一端側には、方形の点検口２４が形成されている。この点検口２４は、浴槽１４の上面に取り付けられた混合水栓２６（図２では図示省略）を点検する際や、設備器具等の取付けの際などに使用されるものであり、この点検口２４を介して浴室内２８（図４では浴槽エプロン１８の矢印Ａ側）と浴室外３０（図４では浴槽エプロン１８の矢印Ｂ側）とが連通している。この点検口２４は、点検口蓋３２によって塞がれるようになっている。
【００２４】
点検口蓋３２は、樹脂材料等によって略矩形板状に形成されたものであり、四隅にネジ孔３４が形成されている（図５及び図６参照）。これらのネジ孔３４は、点検口２４の四隅の近傍で浴槽エプロン１８に形成された４つのグロメット孔３６（図３参照）に対応している。各グロメット孔３６には、それぞれグロメット３８が装着されており、点検口蓋３２の各ネジ孔３４に挿入されたネジ４０が各グロメット３８に螺合することで、点検口蓋３２が浴槽エプロン１８の浴室内２８側に取り付けられる。また、各ネジ４０の頭部と点検口蓋３２との間には、ワッシャー４２及びパッキン４４（止水部材）が介在され、これらのパッキン４４によって各ネジ孔３４が止水される構成になっている。なお、図３以外の図では、説明の都合上、ネジ４０、グロメット３８、ワッシャー４２及びパッキン４４の図示を省略してある。
【００２５】
図６に示されるように、点検口蓋３２の裏側（裏面）の外周部には、ゴム等の弾性体によって長尺帯状に形成されたパッキン４６（止水部材）が接着されている。このパッキン４６は、点検口蓋３２の裏面の外周部の全周にわたって設けられており、点検口蓋３２が浴槽エプロン１８に取り付けられた状態（図４図示状態、以下、単に「取付状態」という）では、点検口２４の外周外側で浴槽エプロン１８の表面（浴室内２８側の面）に密着する。これにより、点検口蓋３２と浴槽エプロン１８との間がパッキン４６によって止水されるようになっており、浴室内２８の水が点検口２４を介して浴室外３０に漏れることが防止される。なお、パッキン４６の浴槽エプロン１８への密着状態は、各ネジ４０の締め付け状態に依存するようになっており、パッキン４６が十分につぶれるまで各ネジ４０が締め付けられることで、パッキン４６による止水性が確保されるようになっている。
【００２６】
一方、点検口蓋３２の中央部には、点検口蓋３２の裏方向（図４では矢印Ｂ方向）へ向けて膨出した膨出部４８が設けられており、点検口蓋３２の中央部は表側が浅底な角皿状に窪んでいる。この膨出部４８は、図４に示される取付状態では、点検口２４の内側を貫通して浴室外３０側へ突出するようになっており、点検口蓋３２は、膨出部４８を含む裏側の一部が浴室外３０に露出した状態で点検口２４を塞ぐようになっている。
【００２７】
また、膨出部４８の下側で点検口蓋３２の下部側には、点検口蓋３２の表方向（図４では矢印Ａ方向）へ膨出した棚部５０が設けられている。この棚部５０は、図４に示される取付状態において、浴室内２８側へ略水平に突出して配置されるようになっており、この棚部５０の上面には、石鹸やシャンプー等を載置できるようになっている。この棚部５０は中空状に形成されており、内側が水溜め部５２とされている。この水溜め部５２の底壁５４には、円形の水排出口５６（貫通孔）が形成されており、この水排出口５６を介して水溜め部５２と浴室内２８とが連通している。なお、浴室内２８の気密性が問題となる場合には、水溶性の材質の部材で水排出口５６に栓をすることも可能である。
【００２８】
水溜め部５２は、点検口蓋３２の裏側で横長に開口しており、この開口は水受け部５８によって覆われている。この水受け部５８は、立壁５８Ａ、底壁５８Ｂ、右壁５８Ｃ、及び左壁５８Ｄを備えており、長尺な角皿を半分に切断したような形状に形成されている。立壁５８Ａは、水溜め部５２の開口に対向しており、底壁５８Ｂは、水溜め部５２の底壁５４に連続している。この水受け部５８は、点検口蓋３２の裏側に一体に形成されたものであり、図４に示される取付状態では、点検口２４の内側を貫通して浴室外３０へ突出する。この水受け部５８は、膨出部４８よりも点検口蓋３２の裏方向（図４では矢印Ｂ方向）へ突出しており、上部の開口が膨出部４８の下面に対向している。水受け部５８の上端開口部の面積は、膨出部４８の下面の面積よりも十分に大きく形成されており、膨出部４８は、下面の全体が水受け部５８によって覆われている。
【００２９】
次に、図７に示される概略的な縦断面図を参照して、本第１実施形態の作用及び効果について説明する。
【００３０】
本第１実施形態では、例えば点検口蓋３２の浴槽エプロン１８への取付け不良（例えば、ネジ４０の締め付け不良など）や、パッキン４６の劣化などにより、点検口蓋３２の上部と浴槽エプロン１８との間の隙間を通って浴室内２８から点検口蓋３２の裏側（浴室外３０へ露出した側）へ水が流れた場合には（図６及び図７の矢印Ｗ参照）、当該水は膨出部４８の表面（点検口蓋３２の裏面）を伝って膨出部４８の下端（点検口蓋３２の下部側）へ流下した後で、水受け部５８の内側に滴下又は流下する。水受け部５８の内側に滴下又は流下した水は、水溜め部５２の内側に溜まり、水溜め部５２の底壁５４に形成された水排出口５６から浴室内２８へ排出される。
【００３１】
すなわち、本第１実施形態では、点検口蓋３２と浴槽エプロン１８との間の隙間を通って浴室内２８から浴室外３０へ流れた水が、水受け部５８及び水排出口５６（水戻し手段）によって浴室内２８へ戻される。これにより、建物の床面２２等（浴室外３０）が浸水することを防止できる。
【００３２】
しかも、本第１実施形態では、膨出部４８の下面の全体が水受け部５８によって覆われているため、膨出部４８の下端へ流下した水が建物の床面２２に滴下することを良好に防止することができる。
【００３３】
また、本第１実施形態では、点検口蓋３２の下部側に水溜め部５２が設けられており、この水溜め部５２と浴室内２８とが水排出口５６を介して連通している。このため、水排出口５６からの排水量を上回る量の水が点検口蓋３２の下部側へ流下してきた場合でも、水溜め部５２に水が溜まることで、点検口蓋３２の裏側へ水が溢れることを抑制できる。換言すれば、水排出口５６を小さく形成した場合でも、点検口蓋３２の裏側へ水が溢れることを抑制できるため、浴室内２８の水が水排出口５６を介して水溜め部５２側へ逆流することを抑制できる。しかも、水排出口５６が水溜め部５２の底壁５４に形成されているため、浴室内２８で入浴時に利用されるシャワーの水などが水排出口５６を介して水溜め部５２側へ逆流することを防止できる。
【００３４】
また、本第１実施形態では、水受け部５８が点検口蓋３２と一体に設けられているため、別部材を追加する場合に比べて部品点数を少なくすることができる。
【００３５】
次に、本発明の他の実施形態について説明する。なお、前記第１の実施形態と基本的に同様の構成・作用については、前記第１の実施形態と同符号を付与しその説明を省略する。
＜第２の実施形態＞
図８には、本発明の第２の実施形態に係るユニットバス（浴室）の部分的な構成が縦断面図にて示されている。また、図９には、このユニットバスを構成する点検口蓋３２の裏側の構成が斜視図にて示されている。
【００３６】
この実施形態は、前記第１の実施形態と基本的に同様の構成とされているが、この実施形態では、点検口蓋３２の裏面（膨出部４８の表面）に矩形の平板６０が貼り付けられている。この平板６０の外周部は、膨出部４８の外周よりも外側へ突出している。これにより、膨出部４８の外周には、樋状ないし溝状の案内路６２が形成されている。
【００３７】
この実施形態では、点検口蓋３２の上部と浴槽エプロン１８との間の隙間を通って浴室内２８から点検口蓋３２の裏側へ流れた水（図９の矢印Ｗ参照）は、案内路６２に案内されて膨出部４８の下端へ流下し、水受け部５８の内側に滴下又は流下する。水受け部５８の内側に滴下又は流下した水は、水溜め部５２の内側に溜まり、水溜め部５２の底壁５４に形成された水排出口５６から浴室内２８へ排出される。したがって、前記第１実施形態と基本的に同様の効果を奏する。しかも、この実施形態では、点検口蓋３２の裏側へ流れた水が案内路６２によって案内されるため、ユニットバス１２の下側への水の滴下を防止する上で好ましくない方向に水が流れることを防止でき、好適である。
【００３８】
なお、上記第２実施形態では、点検口蓋３２と別体の平板６０が膨出部４８の表面に貼り付けられた構成にしたが、本発明はこれに限らず、膨出部４８の外周にフランジ状の立壁を一体に設ける（膨出部４８の外周部を樋状に形成する）ことで、案内路を形成する構成にしてもよい。
＜第３の実施形態＞
図１０には、本発明の第３の実施形態に係るユニットバス（浴室）の部分的な構成が縦断面図にて示されている。また、図１１には、このユニットバスの浴槽エプロン１８が浴室外３０側から見た斜視図にて示されており、図１２には、浴槽エプロン１８から点検口蓋７０が取り外された状態が図１１に対応する斜視図にて示されている。
【００３９】
この実施形態は、前記第１の実施形態と基本的に同様の構成とされており、浴槽エプロン１８の点検口２４が点検口蓋７０によって塞がれている。この点検口蓋７０は、前記第１実施形態に係る点検口蓋３２と基本的に同様の構成とされているが、前記第１実施形態に係る水受け部５８が省略されている。その代わりに、この実施形態では、点検口蓋７０とは別体に形成された水受け部材７２が浴槽エプロン１８の浴室外３０側に取り付けられている。
【００４０】
この水受け部材７２は、前記第１実施形態に係る水受け部５８と同様の形状に形成されており、立壁７２Ａ、底壁７２Ｂ、右壁７２Ｃ、及び左壁７２Ｄを備えている。底壁７２Ｂの立壁７２Ａと反対側には、断面略コ字状の引掛け部７２Ｅが設けられており、この引掛け部７２Ｅが点検口２４の下縁部に引っ掛かることで、水受け部材７２が浴槽エプロン１８に取り付けられている。
【００４１】
図１１及び図１２に示されるように、水受け部材７２の長さ寸法（横幅）は、点検口２４及び膨出部４８の横幅よりも十分に長く形成されており、膨出部４８は、下面の全体が水受け部材７２によって覆われている。
【００４２】
この実施形態では、図１３に示されるように、点検口蓋７０の上部と浴槽エプロン１８との間の隙間を通って浴室内２８から点検口蓋７０の裏側へ流れた水は、膨出部４８の表面（点検口蓋７０の裏面）を伝って膨出部４８の下端へ流下した後で、水受け部材７２の内側に滴下又は流下する（図９及び図１３の矢印Ｗ参照）。水受け部材７２の内側に滴下又は流下した水は、水溜め部５２の内側に溜まり、水溜め部５２の底壁５４に形成された水排出口５６から浴室内２８へ排出される。したがって、前記第１実施形態と基本的に同様の効果を奏する。
【００４３】
しかも、この実施形態では、点検口２４の横幅よりも十分に横長な水受け部材７２が点検口２４の下縁部に取り付けられているため、浴室内２８から点検口蓋７０の裏側へ流れた水が点検口２４の横縁を伝って点検口２４の下縁側へ流下した場合（図１１の矢印Ｓ参照）でも、当該水を水受け部材７２によって受けることができる。これにより、浴室外３０が浸水することを一層良好に防止できる。
【００４４】
さらに、この実施形態では、水受け部材７２が、点検口蓋７０と別体に形成されるため、既存の点検口蓋７０を利用して本浴室を構成することができる。したがって、既存の点検口蓋７０の利用により、浴室の低コスト化を図ることができる。また、既存の浴室のメンテナンスに対応することもできる。また、水受け部材７２が、点検口蓋７０と別体に形成されるため、水受け部材７２の大きさやデザインを自由に設計することができ、好適である。
【００４５】
なお、図１４に示されるように、水受け部材７２の引掛け部７２Ｅを底壁７２Ｂの下側に設ける構成にしてもよい。この構成の場合、水受け部材７２の内側に滴下又は流下した水が水溜め部５２側に自然に流下するため、水受け部材７２の内側に長期間にわたって水が溜まること（いわゆる死に水が発生すること）を防止できる。
【００４６】
また、上記第３実施形態では、水排出口５６が水溜め部５２の底壁５４に形成された構成にしたが、本発明はこれに限らず、水排出口の構成は適宜変更することができる。例えば、図１５に示されるように、パッキン４６の下部の一部を削除することで、水排出口７４を形成してもよい。また、例えば、浴槽エプロン１８におけるパッキン４６に対向する部分に凹部を設けることで、水排出口を形成する構成にしてもよい。
＜第４の実施形態＞
図１６には、本発明の第４の実施形態に係るユニットバス（浴室）の部分的な構成が縦断面図にて示されている。この実施形態は、前記第１の実施形態と基本的に同様の構成とされており、浴槽エプロン１８の点検口２４が点検口蓋８０によって塞がれている。この点検口蓋８０は、前記第１実施形態に係る点検口蓋３２と基本的に同様の構成とされているが、前記第１実施形態に係る水受け部５８が省略されている。また、この実施形態では、点検口蓋８０の膨出部４８の膨出高さが下部側で減少しており、膨出部４８の下部側には、傾斜面８２が設けられている。この傾斜面８２の下端部は、浴槽エプロン１８よりも浴室内２８側（図１６では右側）に配置されている。この傾斜面８２は、水排出口５６と共に水戻し手段を構成している。なお、水排出口５６の代わりに、図１５に示される水排出口７４を採用する構成にしてもよい。
【００４７】
この実施形態では、点検口蓋８０の上部と浴槽エプロン１８との間の隙間を通って浴室内２８から点検口蓋８０の裏側へ流れた水は、膨出部４８の表面（点検口蓋７０の裏面）を伝って膨出部４８の下部側へ流下する。膨出部４８の下部側へ流下した水は、傾斜面８２を伝って流下した後に水溜め部５２の内側に滴下又は流下し、水溜め部５２の底壁５４に形成された水排出口５６から浴室内２８へ排出される。したがって、前記第１実施形態と基本的に同様の効果を奏する。しかも、この実施形態では、前記第１実施形態に係る水受け部５８や前記第３実施形態に係る水受け部材７２を省略することができるため、構成の簡素化を図ることができる。
【００４８】
なお、上記各実施形態では、点検口蓋３２、７０、８０が膨出部４８を備えた構成にしたが、本発明はこれに限らず、膨出部４８が省略された構成、すなわち点検口蓋の裏面が平坦に形成されて浴槽エプロン１８よりも浴室内２８側に配置された構成にしてもよい。
【００４９】
また、上記各実施形態では、点検口２４が浴槽エプロン１８（縦壁）に形成された構成にしたが、本発明はこれに限らず、点検口がユニットバス１２（浴室）の側壁等の他の縦壁に形成された構成にしてもよい。
【００５０】
以上、実施形態を挙げて本発明について説明したが、上記各実施形態は一例であり、要旨を逸脱しない範囲内で種々変更して実施できる。また、本発明の権利範囲が上記各実施形態に限定されないことは言うまでもない。
【符号の説明】
【００５１】
１２  ユニットバス（浴室）
１８  エプロン（縦壁）
２４  点検口
２８  浴室内
３０  浴室外
３２  点検口蓋（蓋体）
４８  膨出部
５２  水溜め部
５４  底壁
５６  水排出口（水戻し手段）
５８  水受け部（水戻し手段）
６２  案内路
７０  点検口蓋（蓋体）
７２  水受け部材（水戻し手段）
７４  水排出口（水戻し手段）
８０  点検口蓋（蓋体）
８２  傾斜面（水戻し手段）
【図１】
2010240288.tif 000003
【図２】
2010240288.tif 000004
【図３】
2010240288.tif 000005
【図４】
2010240288.tif 000006
【図５】
2010240288.tif 000007
【図６】
2010240288.tif 000008
【図７】
2010240288.tif 000009
【図８】
2010240288.tif 000010
【図９】
2010240288.tif 000011
【図１０】
2010240288.tif 000012
【図１１】
2010240288.tif 000013
【図１２】
2010240288.tif 000014
【図１３】
2010240288.tif 000015
【図１４】
2010240288.tif 000016
【図１５】
2010240288.tif 000017
【図１６】
2010240288.tif 000018